(57)【特許請求の範囲】
【請求項１】
答案用紙の識別符号が付された一つの答案用紙に，問題ごとに正答が一意に定まる記述式の解答を求める，そのような複数の問題についての複数の解答欄が設けられている，そのような複数の答案用紙のそれぞれについて，上記答案用紙識別符号と上記複数の解答欄のそれぞれのイメージを読取る読取手段，
上記読取手段により複数の答案用紙から得られた複数の解答欄のイメージのそれぞれを，上記答案用紙識別符号と関連づけて記憶する第１の記憶手段，
特定の問題が指定されたことに応答して，指定された問題について複数の答案用紙から得られた複数の解答欄のイメージを，上記第１の記憶手段から読出して所定複数ずつ表示する手段，
上記表示手段に表示された所定複数ずつの解答欄のイメージのそれぞれについての評価を入力する手段，
上記入力手段から入力された複数の評価のそれぞれを，上記答案用紙識別符号と関連づけて記憶する第２の記憶手段，および
上記第２の記憶手段に記憶されている複数の評価を，一つの答案用紙に含まれる上記問題について，上記答案用紙識別符号ごとにまとめた総合結果を算出する手段，
を備えた電子採点システム。
【請求項２】
上記第１の記憶手段は，複数の解答欄のイメージのそれぞれを同じ問題ごとに記憶するものであり，
上記第２の記憶手段は，複数の評価のそれぞれを同じ問題ごとに記憶するものである，
，請求項１に記載の電子採点システム。
【請求項３】
複数の答案用紙から得られた，問題ごとに正答が一意に定まる記述式の解答を求める，そのような複数の問題についての複数の解答欄のイメージのそれぞれを，答案用紙の識別符号と関連づけて記憶する第１の記憶手段，
特定の問題が指定されたことに応答して，指定された問題について複数の答案用紙から得られた複数の解答欄のイメージを，上記第１の記憶手段から読出して所定複数ずつ表示する手段，
上記表示手段に表示された所定複数ずつの解答欄のイメージのそれぞれについての評価を入力する手段，
上記入力手段から入力された複数の評価のそれぞれを，上記答案用紙識別符号と関連づけて記憶する第２の記憶手段，および
上記第２の記憶手段に記憶されている複数の評価を，一つの答案用紙に含まれる上記問題について，上記答案用紙識別符号ごとにまとめた総合結果を算出する手段，
を備えた採点集計システム。
【請求項４】
上記第１の記憶手段は，複数の解答欄のイメージのそれぞれを同じ問題ごとに記憶するものであり，
上記第２の記憶手段は，複数の評価のそれぞれを同じ問題ごとに記憶するものである，請求項３に記載の採点集計システム。
【請求項５】
正答イメージを記憶する第３の記憶手段をさらに備え，
上記入力手段は正答イメージを表示するかどうかを設定する手段を含み，
上記表示手段は，上記設定手段によって正答イメージの表示が設定されているときには，上記第３の記憶手段から正答イメージを読出して表示するものである，請求項３または４に記載の採点集計システム。
【請求項６】
少なくとも一台のサーバー・コンピュータと，このサーバー・コンピュータに通信回線で結ばれる少なくとも一台のクライアント・コンピュータとから構成され，
上記サーバー・コンピュータのメモリには，複数の答案用紙のそれぞれから得られた，問題ごとに正答が一意に定まる記述式の解答を求める，そのような複数の問題についての複数の解答欄のイメージが，答案用紙の識別符号と関連づけて記憶されており，
上記クライアント・コンピュータは，特定の問題が指定されたことに応答して，指定された問題について複数の答案用紙のそれぞれから得られた複数の解答欄のイメージを上記サーバー・コンピュータから受取り，受取った複数の解答欄のイメージを所定複数ずつ表示装置に表示し，入力装置から入力された所定複数ずつの解答欄のイメージのそれぞれについての評価を上記サーバー・コンピュータに送るものであり，
上記サーバー・コンピュータは，上記クライアント・コンピュータから送られた複数の評価を，一つの答案用紙に含まれる上記問題について，上記答案用紙識別符号ごとにまとめた総合結果を算出する，
採点集計システム。
【請求項７】
上記サーバー・コンピュータのメモリには，複数の答案用紙のそれぞれから得られた解答欄のイメージが，同じ問題ごとに記憶されている，請求項６に記載の採点集計システム。
【請求項８】
問題ごとに正答が一意に定まる記述式の解答を求める，そのような特定の問題が指定されたことに応答して，指定された問題についての複数の解答欄のイメージを，複数の答案用紙から得られた上記複数の問題についての複数の解答欄のイメージのそれぞれを答案用紙の識別符号と関連づけて記憶している記憶装置から取得する処理，
取得した指定された問題の解答欄のイメージを所定複数ずつ表示装置に表示する処理，
入力装置から入力される，所定複数ずつの解答欄のイメージのそれぞれについての評価を読込む処理，および
読込まれた複数の評価を，答案用紙の識別符号と関連づけて記憶装置に記憶する処理を，コンピュータに実行させるためのプログラムを格納した，
コンピュータ読取可能な記録媒体。
【発明の詳細な説明】
【０００１】
【技術分野】
この発明は帳票に表わされた，または記述されたイメージ（文字，記号，図形等のイメージ）を取扱う装置に関し，特に，多量の答案用紙の解答欄に記載された解答，とりわけ記述式の問題の解答の評価に適した電子採点システム，この電子採点システムを構成するイメージ読取システム（より一般的には，帳票に表わされたイメージの読取システム）および採点集計システム，採点者の採点品質を評価するための採点者管理システム，ならびにこれらのシステムに含まれるコンピュータを制御するためのプログラムを記録した媒体に関する。
【０００２】
【発明の背景】
記述式の答案の採点には多くの問題点がある。特に，漢字検定試験のように，膨大な数の答案用紙を短時間で採点して総合評価結果を得なければならない場合，能力の高い採点者を多数人確保しなければならない。
【０００３】
一つの答案用紙には複数の問題についての解答が記述されている。当然のことであるが，問題が異なるのでこれらの解答も異なる。漢字検定試験を例にとると，画数の少ない平易な漢字が正答である問題もあれば，画数の多い複雑な漢字が正答である問題もある。したがって，採点者にはレベルの最も高い問題の解答を判定できる能力が要求される。高いレベルを持つ採点者を多く集めることは困難を伴うし，能力に応じた対価の支払いも必要となる。
【０００４】
採点者の数が増えると答案が外部に流出する可能性も高くなり，セキュリティの確保がむずかしくなる。
【０００５】
採点者の不充分な能力，採点者の勘違い，体調不良等に起因する採点の誤りなどが発生する可能性も，採点者の数が増えるにしたがって増大する。採点者の採点品質を高いレベルに確保する努力も必要となる。
【０００６】
【発明の開示】
この発明は，答案の採点（判定）作業の単純化を図り，その効率を高めることを目的とする。
【０００７】
この発明はまた，必ずしも同じレベルの多数の採点者を確保する必要のない採点システムを提供することを目的とする。
【０００８】
この発明はさらに，答案のセキュリティを改善することを目的とする。
【０００９】
さらにこの発明は採点品質をできるだけ向上させることができるようにすることを目的とする。
【００１０】
この発明による電子採点システムが好適に適用される答案用紙は，問題ごとに正答が一意に定まる記述式の解答を求める，そのような複数の問題についての複数の解答欄が設けられかつ答案用紙の識別符号が付されているものである。この電子採点システムは，そのような複数の答案用紙のそれぞれについて，上記答案用紙識別符号と上記複数の解答欄のそれぞれのイメージを読取る読取手段，上記読取手段により複数の答案用紙から得られた複数の解答欄のイメージのそれぞれを，上記答案用紙識別符号と関連づけて記憶する第１の記憶手段，特定の問題が指定されたことに応答して，指定された問題について複数の答案用紙から得られた複数の解答欄のイメージを，上記第１の記憶手段から読出して所定複数ずつ表示する手段，上記表示手段に表示された所定複数ずつの解答欄のイメージのそれぞれについての評価を入力する手段，上記入力手段から入力された複数の評価のそれぞれを，上記答案用紙識別符号と関連づけて記憶する第２の記憶手段，および上記第２の記憶手段に記憶されている複数の評価を，一つの答案用紙に含まれる上記問題について，上記答案用紙識別符号ごとにまとめた総合結果を算出する手段を備えているものである。
【００１１】
この電子採点システムは種々の形態で実現できる。その一は，原則的に，一台のコンピュータ・システムと一台のイメージ・スキャナとから構成されるシステムである。この場合に，読取手段はイメージ・スキャナ（必要に応じてコンピュータにより制御される）に相当する。第１の記憶手段，表示手段，入力手段，第２の記憶手段および算出手段がコンピュータ・システム（コンピュータ本体，外部メモリ，表示装置，入力装置等を含む）により具現化される。イメージ・スキャナは必要に応じて２台以上設けてもよいし，２台以上のコンピュータ・システムが設けられることもある。
【００１２】
その二は，上記のコンピュータ・システムがクライアント／サーバー・システムによって構成されるものである。イメージ・スキャナはサーバー・コンピュータによって制御される。第１の記憶手段，第２の記憶手段および算出手段はサーバー・コンピュータによって実現可能であり，表示手段，入力手段および第２の記憶手段はクライアント・コンピュータによって具体化することができる。第２の記憶手段はサーバー・コンピュータの記憶装置およびクライアント・コンピュータの記憶装置のいずれに該当すると解釈してもよい。
【００１３】
その三は，電子採点システムをイメージ読取システムと採点集計システムにより構成するものである。イメージ読取システムには読取手段と第１の記憶手段が設けられる。第１の記憶手段，表示手段，入力手段，第２の記憶手段および算出手段は採点集計システムに設けられる。採点集計システムを後述する実施例のようにクライアント／サーバー・システムによって実現することもできる。第１の記憶手段はイメージ読取システムの記憶装置および採点集計システムの記憶装置のいずれに該当すると解釈してもよい。
【００１４】
解答欄のイメージと答案用紙の識別符号との関連づけ，または評価と識別符号との関連づけは，後述する実施例のように読取順序によって行うこともできるし，解答欄のイメージまたは評価に識別符号を付随させることによっても，ポインタ等を用いても実現することができる。
【００１５】
評価は正，誤等で表わすことも，複数段階（たとえば優，良，可，不可）で表わすことも，点数で表わすこともできる。
【００１６】
一つの答案用紙に含まれる問題について識別符号ごとにまとめた総合結果とは，すべての問題の評価の合計点で表わすことも可能であるし，一または複数のレベルで弁別して得られた結果（たとえば合，否，もしくは優，良，可，不可）で表現することもできよう。記述式の解答を求める問題のみならず，他の形式の解答（たとえば選択式の解答）を求める問題が含まれている場合には，記述式の解答のみの総合結果を算出してもよいし，記述式の解答と他の形式の解答の両方を含む総合結果を算出してもよい。
【００１７】
この発明によると，各答案用紙の複数の解答欄のイメージがそれぞれ読取られ，問題ごとに振分けられて，問題ごとの解答イメージ・ファイルがつくられる。特定の問題が指定されると，その問題の解答イメージが表示手段に表示される。したがって，採点者は表示手段に表示された一つの問題についての解答を採点（判定）すれば良いことになる。
【００１８】
採点者は一つの問題についての解答を採点すれば良いので作業が単純化され，答案採点の効率が向上する。また，誤判定も減少する。高度の採点能力を持つ採点者には高度の問題の採点を，やや低い採点能力の採点者にはそれに適したレベルの問題の採点を担当させることができる。採点者の能力に合わせて担当させるべき問題を割当てることができるので，高い能力者のみを集める必要がない。したがって，採点者の確保が容易となるし，能力に応じた対価を支払えば良いので合理的である。
【００１９】
電子採点システムは一台または複数台のコンピュータ・システムを用いて実現することができる。コンピュータ・システムを一箇所（または適数箇所）に設置することができ，その場で採点者が採点を行うのでセキュリティが高まる。少なくとも記述式の解答はコンピュータ・システム内に記憶されているから，答案用紙を採点者が外に持ち出すという問題も無くなる。
【００２０】
採点者によって入力された解答欄のイメージの評価は識別符号と関連づけて記憶される。最後に，記憶されている評価が識別符号ごとにまとめられて総合結果が算出される。このようにして，最終的には答案用紙（解答者）ごとの総合結果が得られる。総合結果は必要に応じてプリント等によって出力されよう。
【００２１】
この発明は複数の答案用紙の複数の解答欄からそのイメージを読取って，問題ごとに識別符号と関連づけてファイルするための読取システムも提供している。この読取システムでは採点までは必要ない。したがって，この読取システムの読取対象は答案用紙に限定されない。この意味で，答案用紙に代えて帳票という用語を用いる。帳票は答案用紙を含む各種用紙，伝票類，シート類等を含む概念である。
【００２２】
この発明による帳票の複数のイメージを読取ってファイルするシステムは，帳票識別符号が付与された帳票に，それぞれ領域識別符号を持つ複数の領域が設けられている，そのような複数の帳票から複数の領域のイメージを別個に読取る読取手段，および上記読取手段によって読取られた領域のイメージを，領域識別符号ごとに，帳票識別符号と関連づけて，ファイルするように制御する手段を備えているものである。
【００２３】
このシステムによって帳票上の複数の領域の各イメージが読取られ，そのイメージ（データ）が領域識別符号ごとにファイルされる。
【００２４】
この発明はさらに採点集計システムを提供している。この採点集計システムは，複数の答案用紙から得られた，問題ごとに正答が一意に定まる記述式の解答を求める，そのような複数の問題についての複数の解答欄のイメージのそれぞれを，答案用紙の識別符号と関連づけて記憶する第１の記憶手段，特定の問題が指定されたことに応答して，指定された問題について複数の答案用紙から得られた複数の解答欄のイメージを，上記第１の記憶手段から読出して所定複数ずつ表示する手段，上記表示手段に表示された所定複数ずつの解答欄のイメージのそれぞれについての評価を入力する手段，上記入力手段から入力された複数の評価のそれぞれを，上記答案用紙識別符号と関連づけて記憶する第２の記憶手段，および上記第２の記憶手段に記憶されている複数の評価を，一つの答案用紙に含まれる上記問題について，上記答案用紙識別符号ごとにまとめた総合結果を算出する手段を備えているものである。
【００２５】
上述した帳票読取ファイル・システムにおいて，読取対象として答案用紙を用いた場合に得られるファイルが第１の記憶手段に記憶されることになる。このような解答欄のイメージの問題ごとのファイルの存在を前提として，この発明による採点集計システムでは，採点者がその採点者に適した問題の解答を判定し，その判定結果が解答者ごとにまとめられ，解答者の総合結果が得られる。
【００２６】
一実施態様においては，採点集計システムには，正答イメージを記憶する第３の記憶手段がさらに設けられる。上記入力手段には正答イメージを表示するかどうかを設定する手段が設けられる。上記表示手段は，上記設定手段によって正答イメージの表示が設定されているときには，上記第３の記憶手段から正答イメージを読出して表示する。
【００２７】
採点者は必要に応じて表示画面に正答イメージを表示させ，解答イメージと対比しながら解答イメージの判定を行うことができるので，勘違い等による誤判定の可能性を低くすることができる。
【００２８】
他の実施態様では採点集計システムはクライアント／サーバー・システムにより実現される。すなわち，この採点集計システムは，少なくとも一台のサーバー・コンピュータと，このサーバー・コンピュータに通信回線で結ばれる少なくとも一台のクライアント・コンピュータとから構成される。上記サーバー・コンピュータのメモリには，複数の答案用紙のそれぞれから得られた，問題ごとに正答が一意に定まる記述式の解答を求める，そのような複数の問題についての複数の解答欄のイメージが，答案用紙の識別符号と関連づけて記憶されている。上記クライアント・コンピュータは，特定の問題が指定されたことに応答して，指定された問題について複数の答案用紙のそれぞれから得られた複数の解答欄のイメージを上記サーバー・コンピュータから受取り，受取った複数の解答欄のイメージを所定複数ずつ表示装置に表示し，入力装置から入力された所定複数ずつの解答欄のイメージのそれぞれについての評価を上記サーバー・コンピュータに送る。上記サーバー・コンピュータは，上記クライアント・コンピュータから送られた複数の評価を，一つの答案用紙に含まれる上記問題について，上記答案用紙識別符号ごとにまとめた総合結果を算出する。
【００２９】
複数台のクライアント・コンピュータを設けることにより，複数人の採点者により同時に採点を行うことができる。
【００３０】
この発明はさらに，採点者の採点品質を客観的に判定するための管理システムを提供している。この採点者管理システムの前提として，識別符号に対応してあらかじめ評価の定まった解答が記入されている管理用答案用紙が，複数の受験者の答案用紙に混入されている。管理システムは，このような複数の答案用紙について採点者が評価した結果を，採点者の識別符号および答案用紙の識別符号と関連づけて記憶する記憶手段，上記記憶手段から評価結果を読出して，管理用答案用紙についての評価結果が正しいかどうかを判定する手段，および上記判定手段の判定結果を採点者の識別符号ごとに集計する手段を備えている。
【００３１】
採点者は受験者の答案用紙か管理用答案用紙かを認識することなく，評価を行う。管理用答案用紙の解答についてはその評価があらかじめ決っている。採点者の行った評価がこの決っている評価と一致する（同程度である）度合がどの程度かが集計される。採点者の行った評価の品質が客観的に測定されることになる。この測定結果を採点者に教えて次の評価に役立たせてもらうことにより結果的に評価（採点）の品質が向上することになる。
【００３２】
この発明はさらに，上述した採点集計システムのコンピュータ，特にクライアント・コンピュータを動作させるためのプログラムを格納した記録媒体を提供している。この記録媒体は，問題ごとに正答が一意に定まる記述式の解答を求める，そのような特定の問題が指定されたことに応答して，指定された問題についての複数の解答欄のイメージを，複数の答案用紙から得られた上記複数の問題についての複数の解答欄のイメージのそれぞれを答案用紙の識別符号と関連づけて記憶している記憶装置から取得する処理，取得した指定された問題の解答欄のイメージを所定複数ずつ表示装置に表示する処理，入力装置から入力される，所定複数ずつの解答欄のイメージのそれぞれについての評価を読込む処理，および読込まれた複数の評価を，答案用紙の識別符号と関連づけて記憶装置に記憶する処理を，コンピュータに実行させるためのプログラムを格納したものである。
【００３３】
この発明は上述した採点者管理装置のコンピュータを動作させるためのプログラムを格納した記録媒体も提供している。この記録媒体は，識別符号に対応してあらかじめ評価の定まった解答が記入されている管理用答案用紙が，複数の受験者の答案用紙に混入されている，そのような複数の答案用紙について採点者が評価した結果を，採点者の識別符号および答案用紙の識別符号と関連づけて記憶した記憶手段から評価結果を読出させ，管理用答案用紙についての読出した評価結果が正しいかどうかを判定させ，判定結果を採点者の識別符号ごとに集計するように採点者管理用コンピュータを制御するプログラムを格納したものである。
【００３４】
記録媒体とは，ＦＤ，ＣＤ−ＲＯＭ，ＭＤ，ＭＯＤ等の可搬型記録媒体のみならず，ハードディスク，磁気テープ，半導体メモリ等も含む。
【００３５】
【実施例】
図１は電子採点システムの全体的な構成を示すものである。
【００３６】
電子採点システムはイメージ（答案）読取システム１０と採点集計システム２０とから構成される。
【００３７】
イメージ読取システム１０はイメージ・スキャナ１２およびスキャナ制御用コンピュータ１１から構成され，コンピュータ１１には記憶装置１３が接続されている。
【００３８】
この電子採点システムは特に記述式の答案に適している。採点の対象となる答案用紙には，後述するところから明らかになるように，複数の解答欄が設けられており，各解答欄に解答者（受験者）が解答を記述する。答案用紙には記述式以外の解答欄，たとえばマークすることにより解答する欄があってもよいのはいうまでもない。
【００３９】
イメージ・スキャナ１２はコンピュータ１１の制御の下に，答案用紙（後述する採点者の品質管理用答案用紙も含む）に記述された解答（イメージ）を読取り，読取ったイメージを解答欄ごとに切出し，一定の順序で出力する。制御用コンピュータ１１はイメージ・スキャナ１２から得られるイメージ・データを記憶装置１３に整理して記憶する。記憶装置１３はハードディスク装置，ＦＤドライブ，ＭＯドライブ，磁気テープ書込／読取装置，その他のものにより実現される。
【００４０】
採点集計システム２０は採点用サーバー２１および複数台の判定用クライアント・コンピュータ２２から構成され，これらはＬＡＮ，その他の通信ネットワークまたは伝送ラインにより接続されている。採点用サーバー２１には記憶装置２３が接続されている。記憶装置２３もハードディスク装置，ＦＤドライブ，ＭＯドライブ，磁気テープ書込／読取装置等により実現される。
【００４１】
イメージ読取システム１０の記憶装置１３に蓄積されたイメージ・データ（解答イメージ）はＩＳＤＮ，その他のネットワークにより採点集計システムの採点用サーバー２１に伝送され，記憶装置２３に記憶される。イメージ読取システム１０の記憶装置１３に蓄積されたイメージ・データをＦＤ，ＭＯまたは磁気テープ等の記録媒体に一旦記録し，この記録媒体を採点集計システム２１が設けられた場所まで人間が運ぶようにしてもよい。記録媒体内のイメージ・データは採点用サーバー２１によって読取られ，記憶装置２３にストアされる。
【００４２】
採点者は判定用クライアント・コンピュータ２２を用いて各解答についての正誤の判定を行う。後述するところから明らかになるように，判定用クライアント・コンピュータ２２の表示装置の表示画面には，多数の答案用紙から切出された一つの設問（問題）についての解答が複数個ずつ順次表示される。したがって，採点者は一つの設問についての解答を集中して採点することになる。採点用サーバー２１は判定用クライアント・コンピュータ２２からの要求に応じて解答イメージを記憶装置２３から読出してクライアント・コンピュータ２２に送る。また，採点用サーバー２１はクライアント・コンピュータ２２で判定された結果を答案用紙（受験者，受験番号）ごとに集計して採点結果（総合点）を算出する。採点用サーバー２１はさらに，採点者の採点品質を表わすデータ（正判定率）を算出する。
【００４３】
図２は答案用紙の例を示している。これは，漢字検定試験の答案用紙を模式的に示したものである。
【００４４】
この試験には記述式の問題としてｍ個の設問（問題）があると仮定する。ｍ個の設問に対応して，答案用紙にはｍ個の解答欄がある。ｎ枚の答案用紙があるとする。答案用紙ｊのｉ番目（問題ｉ）の解答欄（または解答）を（ｊ−ｉ）（ｊ＝１〜ｎ，ｉ＝１〜ｍ）で表わす。
【００４５】
答案用紙にはその答案用紙を識別するためのデータの記入欄がある。この記入欄には，コンピュータが認識可能なコードまたはマークによって，級，回，年度および受験番号があらかじめ記入（印刷）されている。また，受験者が自分の氏名を書くべき欄がある。
【００４６】
答案用紙には二種類ある。その一は受験者が記述したものである（特に明示しない限り，これを一般的に答案用紙という）。この答案用紙には受験者の受験番号があらかじめ印刷（記入）されており，かつ受験者の氏名が受験者によって記入される。その二は採点者の品質管理用答案用紙である。品質管理用答案用紙の受験番号はあらかじめ決っており，その解答も正答または誤答であることがあらかじめ分っている。たとえば下２桁がすべて０である受験番号が印刷（記入）された品質管理用答案用紙にはそのすべての解答欄に正しい答が記述されている。また，下２桁がすべて９である受験番号が印刷（記入）された品質管理用答案用紙にはそのすべての解答欄に誤った答が記述されている。品質管理用答案用紙には氏名を記入する必要はないが，適当な氏名が記入されていてももちろんよい。受験者に割当てられる受験番号からは品質管理用答案用紙の受験番号は除かれる。受験番号によって受験者の答案用紙か品質管理用答案用紙かを区別することができる。
【００４７】
図３はイメージ読取システム１０のイメージ・スキャナ１２で読取ったイメージ・データを格納するために記憶装置１３内に設けられるディレクトリの一例を示している。
【００４８】
漢字検定試験は１年に複数回実施される。年度，回は，漢字検定試験が実施された年度と，その年度において何回目かを示すものである。また漢字検定には１級から７級まである。これが級である。年度，回および級によって試験の種類が特定される。もっとも試験の種類を特定するデータは年度，回および級に限られないのはいうまでもない。
【００４９】
一種類の試験について多数枚（たとえば１万枚〜数万枚）の答案用紙（品質管理用答案用紙を含む）がある。これらの答案用紙がロットに分けられる。１ロットはたとえば１０００枚である。各ロット内には品質管理用答案用紙がランダムに混入される（たとえば１〜数％程度）。１ロットに含まれる１０００枚の答案用紙の受験番号は連続番号である必要は全くない。
【００５０】
ロットごとにホルダーがつくられる。ホルダーには，問題ごとのファイル（解答イメージのファイル）（問題１のファイル，問題２のファイル，…，問題ｉのファイル，…，問題ｍのファイル）および付加情報のファイルが含まれる。
【００５１】
１番目のロット（ロット番号１）（ロット１）のホルダーに含まれる各ファイルの内容の一例が図４に示されている（他のロットのホルダーの内容もこれと同じである）。
【００５２】
問題１のファイル（問題１の解答のイメージのファイル）はロット１に含まれるすべての答案用紙（上述のように品質管理用答案用紙が混入されている）からイメージ・スキャナ１２によって読取られかつ切出された問題１の解答（解答（１−１）〜（１０００−１））のイメージを格納したものである。同じように，問題ｉのファイルはロット１に含まれるすべての答案用紙から読取られかつ切出された問題ｉの解答（解答（１−ｉ）〜（１０００−ｉ））のイメージを格納したものである。付加情報のファイルは，ロット１に含まれるすべての答案用紙の答案用紙識別データ記入欄からイメージ・スキャナ１２によって読取られることにより得られたイメージ・データに基づいてコンピュータ１１が認識した受験番号，イメージ・データから切出された氏名データ，その他のデータ（これらを付加情報という）が格納される。
【００５３】
これらのファイルにおいて解答のイメージおよび付加情報がそれぞれ配置される位置はあらかじめ決っている（たとえば，イメージ・スキャナ１２におけるスキャニングの順序）。図４ではこれらの位置に便宜的に順序番号が示されている。ロット１のホルダー内の全ファイルにおいて同じ順序番号を持つ解答イメージおよび付加情報は同じ答案用紙から得られたものである。すべての処理において，各ファイルにおける解答イメージおよび付加情報の順序は保持される。
【００５４】
イメージ・スキャナ１２から出力されるイメージ・データはデータ圧縮されている（たとえばＭＭＲ圧縮形式）。このイメージ・データはたとえばＴＩＦＦ形式でファイルに格納される。
【００５５】
問題ｉのファイルの一例が図５に示されている。ファイルの属性はイメージ・データであること，格納されているイメージの数等を表わすデータを含む。続いて最初のイメージ・データ格納位置へのポインタがある。このポインタによって指示される位置に，イメージ・データの属性があり，続いて次のイメージ・データ格納位置へのポインタおよびイメージ・データが格納されている。イメージ・データの属性には属性データのサイズが含まれているので，このサイズによってイメージ・データがどこから始まるのかが認識される。
【００５６】
図６はイメージ読取システム１０（イメージ・スキャナ１２および制御用コンピュータ１１）の動作手順を示すものである。
【００５７】
品質管理用答案用紙を含む１ロット分の答案用紙がイメージ・スキャナ１２のスタッカにオペレータによって乗せられる（ステップ１０１  ）。イメージ・スキャナ１２が動作を開始する。
【００５８】
制御用コンピュータ１１において，オペレータによって，ロット番号，年度，回および級が入力される（ステップ１０２  ）。１ロットに含まれる答案用紙の年度，回および級はすべて同じであるのはいうまでもない。
【００５９】
イメージ・スキャナ１２は１枚ずつ答案用紙を走査してそのイメージを読取る（ステップ１０３  ）。
【００６０】
答案用紙上における識別データ記入欄および解答欄の位置を表わすデータは制御用コンピュータ１１からイメージ・スキャナ１２にあらかじめ与えられている。イメージ・スキャナ１２は答案用紙から読取ったイメージ上において，これらの位置データに基づいて，識別データ記入欄および解答欄に含まれるイメージを切出す。切出されたイメージ・データは圧縮されたのち（必ずしもデータ圧縮しなくてもよい），一定の順序（たとえば，まず，識別データ記入欄のイメージ・データ，続いて問題１の解答欄のイメージ・データ，問題２の解答欄のイメージ・データ，…，問題ｍの解答欄のイメージ・データの順）で出力され，制御用コンピュータ１１に与えられる（ステップ１０４  ）。
【００６１】
制御用コンピュータ１１は識別データ記入欄のイメージ・データを伸張してマーク・データ（受験番号，年度，回，級）を認識する。認識したマーク・データが先に入力された年度，回，級と一致することを確認し，認識した受験番号および氏名のイメージ・データを先に入力した該当ロット番号の付加情報ファイルの最後の部分に追加する。また，各解答欄のイメージ・データ（圧縮されたイメージ・データ）を，該当するロット番号の該当する問題のファイルの最後の部分に追加する（ステップ１０５  ）。
【００６２】
ステップ１０３  〜１０５  の処理が，スタッカにセットされた１ロット分の答案用紙のすべてについて繰返し実行される（ステップ１０６  ）。
【００６３】
１ロット分の答案用紙について上述の処理が終わると，図４に示すような，１ロット分のホルダー（問題１のファイルから問題ｍのファイルまで，および付加情報ファイル）が完成する（ステップ１０６  ）。
【００６４】
このようにして作成されたファイルに含まれるレコードの数（解答イメージの数または付加情報の数）がチェックされる（ステップ１０７  ）。イメージ・スキャナ１２で読取った答案用紙の枚数と，作成されたファイルにそれぞれ格納されたレコードの数がすべて一致すれば，１ロット分についてのイメージ読取り処理が終わる。
【００６５】
図６に示すイメージ読取処理は実施した年度，回のすべての答案用紙について，級ごとに分けて実行される。一つの級に属する答案用紙の数が１ロット分以上ある場合には，１ロットごとに分けて実行される。
【００６６】
このようにして，すべての答案用紙の解答イメージを表わすデータが，級，ロットに分類され，かつ各ロットにおいて問題ごとに分類されて，イメージ読取システム１０の記憶装置１３に蓄積される（上述した図３に示すディレクトリ参照）。
【００６７】
イメージ読取システム１０の記憶装置１３に蓄積された解答イメージ・データは，上述したようにネットワークを通して，または記録媒体を介して，採点集計システム２０の採点用サーバー２１の記憶装置２３に移される。
【００６８】
図７は採点集計システム２０の記憶装置２３に設けられるディレクトリの例を示している。イメージ読取システム１０の記憶装置１３内に作成されたディレクトリがそのままコピーされ，かつロットごとに，各問題の判定のファイル（各問題の解答の正誤を採点者が判定した結果を格納するファイル）に関する情報が追加して記述される。
【００６９】
採点集計システム２０の記憶装置２３に設けられる各ロットのホルダー内には，各問題の（解答のイメージ・データの）ファイル，付加情報のファイルに加えて（これらのファイルはイメージ読取システム１０の記憶装置１３のファイルがそのままコピーされてつくられる），各問題の判定のファイルが含まれる。この各問題の判定のファイルは各問題の解答についての判定結果を解答ごとに記憶するものである。
【００７０】
図８は記憶装置２３に設けられるロット１のホルダーの内容を示している。各問題のファイルおよび付加情報のファイルは記憶装置１３のものをそのままコピーしたものである。問題１の判定のファイルから問題ｍの判定のファイルまでｍ個の判定のファイルが新たに設けられる（問題１の判定のファイルおよび問題ｉの判定のファイルのみ図示）。
【００７１】
これらの判定のファイルにおいても，各問題について，１ロット分の答案用紙の解答の判定結果を表わすデータが，一定の順序（上述したようにイメージ・スキャナ１２における答案用紙の読取の順）に記憶される。判定結果を表わすデータには，その判定を行った採点者を識別するための採点者ＩＤが付随する。判定結果を表わすデータと採点者ＩＤとによって１レコードが構成される。
【００７２】
判定結果には，正答，誤答，無記入および保留がある。保留については他の採点者が判定し直すか，または答案用紙に基づいて判定することにより，最終的に正答または誤答と判定されることになる。
【００７３】
採点集計システム２０における判定用クライアント・コンピュータ２２を用いた判定処理について図９および図１０を参照して説明する。
【００７４】
採点者は自分の採点者ＩＤとともに判定の開始の旨を判定用クライアント・コンピュータ２２に入力する。クライアント・コンピュータ２２から判定開始の旨が採点者ＩＤとともに採点用サーバー２１に通知される（ステップ１１１  ）。続いて採点者は自分が採点すべき問題の級と問題の番号をクライアント・コンピュータ２２において入力する。これらの入力データもまたクライアント・コンピュータ２２から採点用サーバー２１に送られる（ステップ１１２  ）。
【００７５】
採点用サーバー２１は指定された級の指定された問題番号の解答イメージ・データを記憶装置２３から読出し，クライアント・コンピュータ２２に送信する（ステップ１１３  ）。所定量（たとえば１ロット分）の解答イメージ・データがクライアント・コンピュータ２２にダウンロードされ，そのメモリに記憶される。
【００７６】
クライアント・コンピュータ２２において，採点用サーバー２１から送られた解答イメージ・データに基づいて，適数個（たとえば１２個）分の解答イメージがその表示装置の表示画面に表示される（ステップ１１４  ）。
【００７７】
クライアント・コンピュータ２２における解答イメージ表示画面の一例が図１１に示されている。この例では１１個分の解答イメージが２段に配列されて表示されている。下段最右欄の文字は正答イメージである。この正答イメージは後に述べる特定のキーを採点者が押した場合にのみ表示される。
【００７８】
この画面の左上の数字は解答ＩＤで，年度，回，級，問題番号，解答イメージの順序などを表わしている。画面の右上には日付が表示されている。
【００７９】
カーソルは最初，上段最左の欄にある。採点者はこの欄の解答イメージを見て，判定を行い，その結果をテンキーを用いて入力する（ステップ１１５  ）。上述したように，判定には正答，誤答，無答および保留（採点者が正誤を判定できないもの）がある。採点者は正答と判定したときにはテンキー中の１を，誤答と判定したときには２を，無答と判定したときには３を，保留するときには４を押す。採点者が入力した判定結果を表わす数字が，解答イメージの下の区画に数字で表示される。また，解答イメージの左上の位置に判定結果を表わす記号が表示される。丸は正答を，バツは誤答を，三角は無答を，四角は保留をそれぞれ表わしている。
【００８０】
採点者がテンキーのうちの１〜４の数字のいずれかを押すたびにカーソルが次の解答イメージの欄に移っていく（ステップ１１６  ）。
【００８１】
一画面上に表示されたすべての解答イメージについての判定が終了すると，採点者は一般的には，画面の右下のＹ／ＲのうちのＹをクリックする。すると，Ｙの文字が画面の右下の四角の区画内に表示され，画面には次の１２個（または１１個）の解答イメージが表示される。
【００８２】
採点者が表示されている画面の解答イメージの採点をやり直したい場合には，画面の右下のＹ／ＲのうちのＲをクリックする。カーソルが一番目の解答イメージの欄に戻り，採点をやり直すことができる。
【００８３】
採点者がキーボード上の特定のキー（たとえばＰＦ１２キー）を押すと，図１１に示すように既に正答イメージが表示されていれば，次の画面からこの正答イメージが消える。画面に１２個の解答イメージが表示されており，正答イメージの表示が無いときに上記の特定のキーが押されると，次の画面から図１１に示すように正答イメージが表示される（ステップ１１７，１１８）。正答イメージを表わすデータは解答イメージ・データとともにサーバー２１からクライアント・コンピュータ２２に送られ，そのメモリに記憶されているのはいうまでもない。好ましくは正答イメージの欄の背景色は解答イメージの欄の背景色と異なるものが用いられる。
【００８４】
サーバー２１からダウンロードされたすべての解答イメージ（たとえば１ロット分）の採点が終了するまで，ステップ１１４〜１１８の処理が繰返される。ダウンロードされたすべての解答イメージについての判定が終了すると，判定結果が採点用サーバー２１に送信される（ステップ１１９，１２０）。採点用サーバー２１ではその記憶装置２３に判定結果が採点者ＩＤとともに図７，図８に示すようにロットごとに該当する問題の判定ファイルとして格納される。
【００８５】
特定の問題番号についてのすべての判定がまだ終了していなければ（ステップ１２１  ），サーバー２１から次の（ロットの）解答イメージがクライアント・コンピュータ２２にダウンロードされ（ステップ１１３  ），再び同じ処理（採点者の判定操作）が繰返される。
【００８６】
特定の問題番号についての記憶装置２３に蓄積されているすべての解答イメージについての判定が終了すれば（ステップ１２１  ），採点者は作業終了の旨を入力する（ステップ１２２  ）。一つの問題番号についての解答イメージの判定が終了した旨がクライアント・コンピュータ２３から採点用サーバー２１に通知される。
【００８７】
採点用サーバー２１においては保留と判定された解答イメージの最終的な判定とその入力作業が行なわれる。特定の採点者がクライアント・コンピュータ２２を用いて，保留と判定された解答イメージをサーバー２１からクライアント・コンピュータ２２にダウンロードさせ，クライアント・コンピュータ２２において最終的な判定を行ない，その結果をサーバー２１に送ってもよい。
【００８８】
判定は正，誤ではなくて，点数を用いて行ってもよい。この場合には，採点者はキーボード上の数字キーを用いて点数を入力する。入力された点数は，表示画面において，解答イメージの下の区画に表示される。
【００８９】
いずれにしても，特定の級についての全ロットの全問題についての判定が終了すると，受験者ごとの採点集計が採点用サーバー２１で行なわれる。図７に示すように，判定結果は問題ごとの判定ファイルに格納されている。受験番号は付加情報ファイルに格納されている。付加情報ファイルの受験番号とその受験番号の解答者の判定ファイルにおける解答イメージの判定結果は配列順序によって対応付けられている。そこで，各判定ファイルの判定結果が受験番号ごとに並べ変えられる。
【００９０】
この並べ変えの結果が図１２に示されている。受験番号ごとに，判定結果のうちの正答の数がカウントされ，このカウント値に基づいて総合点が算出される。総合点は最終的には受験番号（および氏名）とともにプリントアウトされる。答案用紙に記述式解答欄以外の他の形式の解答欄（たとえば選択問題で正答をマークするマーク式のもの）があり，これらの解答欄の解答についての判定も行なわれ，その判定結果が他のファイルに格納されている場合には，総合点の算出にあたっては，一般的には，これらの判定結果も考慮される（考慮しなくてもよい）。
【００９１】
上述したように，イメージ読取システム１０において読取られた答案用紙には品質管理用答案も含まれている。したがって，採点集計システム２０において採点者がクライアント・コンピュータ２２を用いて正誤を判定した解答イメージには品質管理用答案に記述された解答も含まれている。しかも，正答のみを記述した品質管理用答案は受験番号の下２桁が００のものであり，誤答のみを記述した品質管理用答案の受験番号の下２桁は９９である。これらの事実を利用して採点用サーバー２１では採点者の採点品質の管理が行なわれる。
【００９２】
図１３は採点用サーバー２１で実行される品質管理集計処理を示している。この処理は管理者が任意のときに行う。
【００９３】
まず採点用サーバー２１に品質管理集計を行うべき範囲（採点の期間，級，問題番号，ロット番号など）を入力する（ステップ１３１  ）。
【００９４】
これに応答して採点者サーバー２１は入力された範囲の受験番号，判定結果データ，採点者ＩＤを記憶装置２３から読出してその内部メモリに転送する（ステップ１３２  ）。内部メモリにストアしたデータについて次の処理が行なわれる。
【００９５】
受験番号の下２桁が００のもの，および９９のものかどうかをみる（ステップ１３３，１３４）。受験番号の下２桁が００のものは正答を記述した品質管理用答案用紙の解答であるから，それを採点者が正答と判定しているかどうかをチェックする（ステップ１３５  ）。正答と判定していれば，その採点をした採点者ＩＤについて正しく判定した数として１をインクレメントする（ステップ１３７  ）。誤答と判定していれば採点者ＩＤについて誤って判定した数として１をカウントアップする（ステップ１３８  ）。同じように，下２桁が９９の受験番号に対応する判定結果を誤答と判定していれば（ステップ１３６  ），その採点者ＩＤに対応して正しく判定した数に１加え（ステップ１３７  ），正答と判定していれば，その採点者ＩＤに対応して誤って判定した数に１を加える（ステップ１３８  ）。
【００９６】
内部メモリに読出したすべてのデータについての上述の処理を繰返し行い（ステップ１３９  ），すべてのデータについて終了すれば，採点者品質表がプリントアウトされる（ステップ１４０  ）。
【００９７】
プリントアウトされた採点者品質表の一例が図１４に示されている。採点者の氏名，チェックしたデータの数（管理データ数），正しく判定した数（正判定数）および正判定率が表わされる。
【００９８】
図９および図１０のフローチャートに示す処理は判定処理プログラムにしたがってクライアント・コンピュータ２２で行なわれる。このプログラムはＣＤ−ＲＯＭ，ＦＤ等に記録されていたものがクライアント・コンピュータ２２にインストールされるか，または採点用サーバー２１からダウンロードされてクライアント・コンピュータ２２のメモリ（ハードディスクを含む）に記憶される。同じように，図１３に示す処理は品質管理集計処理プログラムにしたがって採点用サーバー２１において実行される。このプログラムはＣＤ−ＲＯＭ，ＦＤ等の記録媒体に記憶されていたものが採点用サーバー２１にインストールされて，そのメモリ（ハードディスクを含む）に記憶される。判定処理プログラムと品質管理集計処理プログラムとが一つのＣＤ−ＲＯＭ，ＦＤ等の記録媒体に記録されていてもよいし，別々の記録媒体に記録されていてもよい。
【００９９】
上述のように採点者は一つの問題の解答を続けて判定していくので，作業が単純化し，答案採点の効率が向上する。正答イメージも画面に表示できるので，判定の誤りを少なくすることが可能である。
【０１００】
採点者のレベルに合った問題の解答の判定をその採点者に割当てることができるので，種々のレベルの採点者を採用することができる。すなわち，最高レベルの採点者のみを準備しなくてもよい。
【０１０１】
クライアント・コンピュータを一箇所または少ない数の場所に配置して，その場所でのみ採点者に判定作業を行なってもらうことができるので，充分なセキュリティが確保できる。
【０１０２】
品質管理用答案を用いて採点者の判定品質（採点能力）を客観的に評価することができる。この採点品質を採点者にフィードバックすることにより，採点者の採点品質が向上する。
【図面の簡単な説明】
【図１】電子採点システム全体の構成を示すブロック図である。
【図２】答案用紙の例を示す。
【図３】イメージ読取システムのメモリのディレクトリを示す。
【図４】１ロット分の解答イメージについてのホルダーの内容の例を示す。
【図５】問題ごとのファイルの構造（ＴＩＦＦファイル）の一例を示す。
【図６】イメージ読取システムの動作を示すフロー・チャートである。
【図７】採点集計システムのメモリのディレクトリを示す。
【図８】１ロット分の解答イメージおよび判定結果についてのホルダーの内容の例を示す。
【図９】採点集計システムにおける判定処理の手順を示すフロー・チャートである。
【図１０】採点集計システムにおける判定処理の手順を示すフロー・チャートである。
【図１１】表示画面の例を示す。
【図１２】採点結果ファイルの例を示す。
【図１３】品質管理集計処理の手順を示すフロー・チャートである。
【図１４】採点者品質表の例を示す。
【符号の説明】
１０  イメージ読取システム
１１  制御用コンピュータ
１２  イメージ・スキャナ
１３  記憶装置
２０  採点集計システム
２１  採点用サーバー
２２  判定用クライアント・コンピュータ
２３  記憶装置
【図１】
0003579599.tif 000002
【図２】
0003579599.tif 000003
【図３】
0003579599.tif 000004
【図４】
0003579599.tif 000005
【図５】
0003579599.tif 000006
【図６】
0003579599.tif 000007
【図７】
0003579599.tif 000008
【図８】
0003579599.tif 000009
【図９】
0003579599.tif 000010
【図１０】
0003579599.tif 000011
【図１１】
0003579599.tif 000012
【図１２】
0003579599.tif 000013
【図１３】
0003579599.tif 000014
【図１４】
0003579599.tif 000015